(57)【要約】【課題】硬貨処理装置の利用態様に応じて収納部の収納枚数及び処理内容を変更する。【解決手段】硬貨処理装置を、入金する硬貨を一時保留する一時保留部と、一時保留部よりも多くの硬貨を収納可能で、一時保留部から受けた硬貨の収納、及び収納されている硬貨の投出を行う収納投出部と、収納投出部に収納する硬貨の枚数を、一時保留部に一時保留可能な硬貨の枚数より多くするか少なくするかを選択する設定に基づいて、収納投出部に収納する硬貨の枚数を制御すると共に、収納投出部に収納されている硬貨を計数する精査処理の処理方法を変更する制御部とによって構成する。【選択図】図２
2019145158.tif 000002
【特許請求の範囲】
【請求項１】
入金する硬貨を一時保留する一時保留部と、
前記一時保留部よりも多くの硬貨を収納可能で、前記一時保留部から受けた硬貨の収納、及び収納されている硬貨の投出を行う収納投出部と、
前記収納投出部に収納する硬貨の枚数を、前記一時保留部に一時保留可能な硬貨の枚数より多くするか少なくするかを選択する設定に基づいて、前記収納投出部に収納する硬貨の枚数を制御すると共に、前記収納投出部に収納されている硬貨を計数する精査処理の処理方法を変更する制御部と
を備えることを特徴とする硬貨処理装置。
【請求項２】
前記制御部は、
前記収納投出部に収納する硬貨の枚数が前記一時保留部に収納可能な硬貨の枚数に比べて少ない設定となっている場合には、
前記収納投出部から全ての硬貨を投出して、該硬貨を前記一時保留部に一時保留した後、空になった前記収納投出部に、前記一時保留部に一時保留した硬貨を戻すことによって前記精査処理を実行する
ことを特徴とする請求項１に記載の硬貨処理装置。
【請求項３】
入金する硬貨を受け入れて前記一時保留部に向けて送り出す入金部
をさらに備え、
前記制御部は、
前記収納投出部に収納する硬貨の枚数が前記一時保留部に収納可能な硬貨の枚数に比べて多い設定となっている場合には、
前記収納投出部から硬貨を投出し、前記入金部に一時保留して前記収納投出部を空にした後、前記入金部から送り出した硬貨を計数し、前記収納投出部に戻すことによって前記精査処理を実行する
ことを特徴とする請求項１又は２に記載の硬貨処理装置。
【請求項４】
回収する硬貨を前記一時保留部から受けて収納する金箱
をさらに備え、
前記制御部は、
前記収納投出部に収納する硬貨の枚数が前記一時保留部に収納可能な硬貨の枚数に比べて多い設定となっている場合には、
前記収納投出部から、少なくとも前記一時保留部に収納可能な硬貨の枚数を超える超過分の硬貨を投出して、前記金箱に移動した後、
前記収納投出部の硬貨を投出して、該硬貨を前記一時保留部に一時保留した後、空になった前記収納投出部に、前記一時保留部に一時保留した硬貨を戻すことによって前記精査処理を実行する
ことを特徴とする請求項１又は２に記載の硬貨処理装置。
【請求項５】
前記金箱が金種別に設けられていることを特徴とする請求項４に記載の硬貨処理装置。
【請求項６】
前記制御部は、精査処理開始の指示を受けても前記精査処理を実行しないことを特徴とする請求項１又は２に記載の硬貨処理装置。
【請求項７】
前記収納投出部に収納する硬貨の枚数を前記一時保留部に一時保留可能な硬貨の枚数より多くする設定では、前記収納投出部に収納可能な硬貨の最大枚数に設定されることを特徴とする請求項１〜６のいずれか１項に記載の硬貨処理装置。
【請求項８】
回収する硬貨を前記一時保留部から受けて収納する金箱
をさらに備え、
前記制御部は、
前記金箱から回収する硬貨の枚数を固定枚数とするか否かを選択する設定に基づいて、前記金箱に収納する硬貨の枚数を制御すると共に、前記金箱に収納されている硬貨を回収する回収処理の処理方法を変更する
ことを特徴とする請求項１又は２に記載の硬貨処理装置。
【請求項９】
前記制御部は、
前記金箱から固定枚数の硬貨を回収する設定となっている場合には、
回収処理時に、前記金箱に収納されている硬貨の枚数を確認して、該枚数が前記固定枚数に満たない場合には、不足する分の硬貨を前記収納投出部から前記金箱に移動させる
ことを特徴とする請求項８に記載の硬貨処理装置。
【請求項１０】
入金する硬貨を受ける入金口
をさらに備え、
前記制御部は、
前記金箱から固定枚数の硬貨を回収する設定となっている場合には、
回収処理時に、前記金箱から硬貨を回収する指示を受けたときに前記金箱に収納されている硬貨の枚数を確認して、該枚数が前記固定枚数に満たない場合には、不足する分の硬貨を前記入金口に受けて前記金箱に収納する
ことを特徴とする請求項８に記載の硬貨処理装置。
【発明の詳細な説明】
【技術分野】
【０００１】
この発明は、一時保留部を利用して硬貨を処理する硬貨処理装置に関する。
【背景技術】
【０００２】
従来、金融機関の出納業務等に利用され、入金する硬貨を金種別に選別して一時保留部に一時保留した後、この硬貨を複数の収納部に選択的に振り分けて収納する硬貨処理装置が利用されている。例えば、特許文献１には、リサイクル使用する硬貨の収納及び投出を行うための収納投出部、入金処理がキャンセルされた場合等に返却する硬貨を収納するための返却箱、装置内から回収する硬貨を収納する金箱の３種類の収納部を有し、これらの中から選択した収納部に硬貨を振り分けて収納する硬貨処理装置が開示されている。この装置では、収納投出部に収納されている全ての硬貨を識別計数して一時保留部に一時保留した後、一時保留部の硬貨を元の収納投出部に戻すことによって精査処理を行うことができる。
【先行技術文献】
【特許文献】
【０００３】
【特許文献１】特開２０１５−９５１１４号公報
【発明の概要】
【発明が解決しようとする課題】
【０００４】
しかしながら、上記従来技術では、精査処理時に、収納投出部に収納されている全ての硬貨を一時保留部に同時に一時保留する必要があるため、収納投出部に収納する硬貨の枚数が制限されるという問題があった。具体的には、収納投出部には大量の硬貨を収納できるにも拘わらず、収納投出部の全ての硬貨を一時保留部に同時に一時保留できるように、収納投出部に収納する硬貨の枚数を、一時保留部に一時保留可能な硬貨の枚数以下に抑える必要があった。
【０００５】
一時保留部を利用することにより精査処理を短時間で行えることに満足する利用者がいる一方で、硬貨処理装置の利用態様によっては、短時間で精査処理を行うことができなくても収納投出部に収納する硬貨の枚数を増やしたいという要望があった。
【０００６】
本発明は、上述した従来技術による問題点を解消するためになされたもので、利用者による硬貨処理装置の利用態様に応じて、リサイクル用の硬貨を収納する収納部の硬貨収納枚数を容易に変更することができる硬貨処理装置を提供することを目的とする。
【課題を解決するための手段】
【０００７】
上述した課題を解決し、目的を達成するため、本発明は、硬貨処理装置であって、入金する硬貨を一時保留する一時保留部と、前記一時保留部よりも多くの硬貨を収納可能で、前記一時保留部から受けた硬貨の収納、及び収納されている硬貨の投出を行う収納投出部と、前記収納投出部に収納する硬貨の枚数を、前記一時保留部に一時保留可能な硬貨の枚数より多くするか少なくするかを選択する設定に基づいて、前記収納投出部に収納する硬貨の枚数を制御すると共に、前記収納投出部に収納されている硬貨を計数する精査処理の処理方法を変更する制御部と を備えることを特徴とする。
【０００８】
また、本発明は、上記発明において、前記制御部は、前記収納投出部に収納する硬貨の枚数が前記一時保留部に収納可能な硬貨の枚数に比べて少ない設定となっている場合には、前記収納投出部から全ての硬貨を投出して、該硬貨を前記一時保留部に一時保留した後、空になった前記収納投出部に、前記一時保留部に一時保留した硬貨を戻すことによって前記精査処理を実行することを特徴とする。
【０００９】
また、本発明は、上記発明において、入金する硬貨を受け入れて前記一時保留部に向けて送り出す入金部をさらに備え、前記制御部は、前記収納投出部に収納する硬貨の枚数が前記一時保留部に収納可能な硬貨の枚数に比べて多い設定となっている場合には、前記収納投出部から硬貨を投出し、前記入金部に一時保留して前記収納投出部を空にした後、前記入金部から送り出した硬貨を計数し、前記収納投出部に戻すことによって前記精査処理を実行することを特徴とする。
【００１０】
また、本発明は、上記発明において、回収する硬貨を前記一時保留部から受けて収納する金箱をさらに備え、前記制御部は、前記収納投出部に収納する硬貨の枚数が前記一時保留部に収納可能な硬貨の枚数に比べて多い設定となっている場合には、前記収納投出部から、少なくとも前記一時保留部に収納可能な硬貨の枚数を超える超過分の硬貨を投出して、前記金箱に移動した後、前記収納投出部の硬貨を投出して、該硬貨を前記一時保留部に一時保留した後、空になった前記収納投出部に、前記一時保留部に一時保留した硬貨を戻すことによって前記精査処理を実行することを特徴とする。
【００１１】
また、本発明は、上記発明において、前記金箱が金種別に設けられていることを特徴とする。
【００１２】
また、本発明は、上記発明において、前記制御部は、精査処理開始の指示を受けても前記精査処理を実行しないことを特徴とする。
【００１３】
また、本発明は、上記発明において、前記収納投出部に収納する硬貨の枚数を前記一時保留部に一時保留可能な硬貨の枚数より多くする設定では、前記収納投出部に収納可能な硬貨の最大枚数に設定されることを特徴とする。
【００１４】
また、本発明は、上記発明において、回収する硬貨を前記一時保留部から受けて収納する金箱をさらに備え、前記制御部は、前記金箱から回収する硬貨の枚数を固定枚数とするか否かを選択する設定に基づいて、前記金箱に収納する硬貨の枚数を制御すると共に、前記金箱に収納されている硬貨を回収する回収処理の処理方法を変更することを特徴とする。
【００１５】
また、本発明は、上記発明において、前記制御部は、前記金箱から固定枚数の硬貨を回収する設定となっている場合には、回収処理時に、前記金箱に収納されている硬貨の枚数を確認して、該枚数が前記固定枚数に満たない場合には、不足する分の硬貨を前記収納投出部から前記金箱に移動させることを特徴とする。
【００１６】
また、本発明は、上記発明において、入金する硬貨を受ける入金口をさらに備え、前記制御部は、前記金箱から固定枚数の硬貨を回収する設定となっている場合には、回収処理時に、前記金箱から硬貨を回収する指示を受けたときに前記金箱に収納されている硬貨の枚数を確認して、該枚数が前記固定枚数に満たない場合には、不足する分の硬貨を前記入金口に受けて前記金箱に収納することを特徴とする。
【発明の効果】
【００１７】
本発明によれば、例えば、リサイクル使用する硬貨の収納及び投出を行う収納投出部の硬貨収納枚数を、一時保留部に収納可能な硬貨の枚数より少なくする設定を精査優先モード、多くする設定を収納優先モードとして、動作モードを選択することにより、収納投出部に収納する硬貨の枚数設定を変更することができる。また、動作モードに応じて、精査処理の処理方法も変更され、例えば精査優先モードでは、収納投出部に収納されている全ての硬貨を一時保留部に同時に一時保留することにより短時間で精査処理を完了することができる。これにより、利用者は、精査処理の処理時間を優先するか、精査処理の処理時間よりも収納投出部に収納する硬貨の枚数を優先するか、硬貨処理装置の利用態様に応じた動作モードを選択して硬貨処理装置を利用することができる。
【図面の簡単な説明】
【００１８】
【図１】図１は、本実施形態に係る硬貨処理装置の外観を示す斜視図である。
【図２】図２は、硬貨処理装置の内部構成を説明するための模式図である。
【図３】図３は、硬貨処理装置の内部構造を示す斜視図である。
【図４】図４は、硬貨処理装置の内部構造を示す正面図である。
【図５】図５は、硬貨処理装置の内部構造を示す左側面図である。
【図６】図６は、一時保留部、収納投出部、返却箱及び金箱について説明するための模式図である。
【図７】図７は、硬貨処理装置の機能構成概略を示す機能ブロック図である。
【図８】図８は、精査優先モードの硬貨処理装置で行われる処理例を示すフローチャートである。
【図９】図９は、収納優先モードの硬貨処理装置で行われる処理例を示すフローチャートである。
【図１０】図１０は、回収処理の流れを示すフローチャートである。
【発明を実施するための形態】
【００１９】
以下に、添付図面を参照して、本発明に係る硬貨処理装置について詳細に説明する。図１は、本実施形態に係る硬貨処理装置１０の外観を示す斜視図である。図１に示すように、硬貨処理装置１０の機体１１上面にはシャッターで開閉される硬貨の入金口１２等が形成されている。また、機体１１の前面には、出金箱１３、返却箱１４、入金リジェクト箱１５、収納投出部ユニット１６及び金箱ユニット１７等が、それぞれ引出可能に配設されている。
【００２０】
図２は、硬貨処理装置１０の内部構成を説明するための模式図である。また、図３〜図５は、それぞれ硬貨処理装置１０の内部構造を示す斜視図、正面図及び左側面図である。なお、図２では、硬貨処理装置１０内部の構成を左右２つの図に分けて示しているが、一部の構成は重複して示されている。
【００２１】
図３〜図５に示すように、硬貨処理装置１０の機体１１の上部側に入金部２０が配設され、この入金部２０の下部側に金種別の一時保留部２１が前後方向に沿って配設されている。一時保留部２１より下部側の一側（図面左側）には、収納投出部ユニット１６に搭載された金種別の収納投出部２２が前後方向に沿って配設され、一時保留部２１より下部側の他側（図面右側）には、金箱ユニット１７に搭載された金種別の金箱２３が前後方向に沿って配設されている。一時保留部２１の下部側で収納投出部２２と金箱２３との間に返却箱１４が配設され、収納投出部２２の左側には、横搬送部２４が前後方向に沿って配設されている。横搬送部２４の後部側から入金部２０に亘って縦搬送部２５が配設され、横搬送部２４の前側には、出金箱１３を含む出金機構２６が配設されている。
【００２２】
このように、一時保留部２１の下側には、収納投出部２２、返却箱１４及び金箱２３の３つの収納部２７ａ、２７ｂ、２７ｃ（図６参照）が横方向（以下、左右方向と呼ぶ）に並んで配置されている。収納投出部２２は、入金処理時に入金する硬貨を一時保留部２１から受け入れて金種別に収納すると共に、出金処理時には出金する硬貨を投出する。金箱２３は、硬貨処理装置１０から回収する硬貨を一時保留部２１から受け入れて収納する。返却箱１４は、入金処理がキャンセルされた場合等に、一時保留部２１に一時保留された硬貨を収納して返却するために利用する。収納可能な硬貨の枚数は、硬貨径や厚みによって異なるが、一時保留部２１に収納可能な硬貨の枚数が数百枚（例えば５００枚）であるのに対して、収納投出部２２には数千枚（例えば２０００枚）の硬貨を収納可能であり、金箱２３にも数千枚（例えば４０００枚）の硬貨を収納することができる。
【００２３】
入金部２０は、入金口１２からホッパ１２ａ内に投入された硬貨を受け入れて所定量ずつ送り出す供給部３０と、この供給部３０又は縦搬送部２５から送り込まれる硬貨を受け入れて１枚ずつ繰り出す繰出部３１と、繰出部３１から１枚ずつ繰り出される硬貨を搬送する搬送通路３２とを有している。供給部３０及び繰出部３１では、例えば回転円盤を用いた硬貨繰出構造が採用されている。
【００２４】
搬送通路３２では、通路内の硬貨が搬送ベルトによって搬送される。搬送通路３２には、搬送される硬貨を識別する識別部３３が配設され、この識別部３３より搬送方向下流側には、機体１１の前側から後側へ向けて選別通路が配設されている。選別通路には、識別部３３による識別結果に基づいて硬貨を選別する複数の選別部３４が配設されている。選別部３４には、搬送方向上流側から、識別部３３で識別不能と判別されたリジェクト硬貨を選別するリジェクト硬貨選別部、任意の金種又は任意の種類の硬貨を選別する任意硬貨選別部、５円硬貨、１円硬貨、５０円硬貨、１００円硬貨、１０円硬貨、５００円硬貨の各金種の硬貨を選別する金種別選別部が含まれている。リジェクト硬貨選別部で選別されたリジェクト硬貨は入金リジェクト箱１５に送り込まれ、任意硬貨選別部で選別された任意硬貨及び各金種硬貨選別部で選別された各金種の硬貨は一時保留部２１に金種別に送り込まれる。
【００２５】
図６は、一時保留部２１、収納投出部２２、返却箱１４及び金箱２３について説明するための模式図である。一時保留部２１は、機体１１の前後方向に沿って、金種別に配設されている。また、収納投出部２２及び金箱２３は、各一時保留部２１に対応して金種別に配設されている。
【００２６】
各一時保留部２１は、上下に開口を有する断面矩形の筒状構造を有する保留枠４０と、保留枠４０の底面で下開口を開閉する底部材４１とを有している。保留枠４０は、機体１１の左右方向に沿って、収納投出部２２、返却箱１４、金箱２３の上方位置に移動できる。また、底部材４１は、機体１１の左右方向に沿って、収納投出部２２及び返却箱１４の上方位置に移動できる。保留枠４０及び底部材４１の移動はモータなどの電気的駆動手段によって行われるが、保留枠４０及び底部材４１は独立して移動できるようになっている。
【００２７】
図６に示すように、保留枠４０が搬送通路３２の下方（各選別部３４の下方）かつ中央の収納部２７ｂである返却箱１４の上方にあって、底部材４１によって底面を閉塞される位置を一時保留位置として、この一時保留位置で、搬送通路３２の金種別選別部で金種別に選別された硬貨が、それぞれ対応する一時保留部２１の保留枠４０内に落下して一時保留される。一時保留された硬貨を収納投出部２２へ収納する場合には、保留枠４０のみが収納投出部２２上に移動して、下開口から収納投出部２２に硬貨を放出する。一時保留された硬貨を金箱２３へ収納する場合には、保留枠４０のみが金箱２３上に移動して、下開口から金箱２３に硬貨を放出する。また、一時保留された硬貨を返却する場合には、底部材４１のみが収納投出部２２上に移動して保留枠４０の底面を開放することにより、硬貨を返却箱１４に放出する。
【００２８】
収納投出部２２及び金箱２３の上方には、仕切枠４２、４３が配置されており、保留枠４０の下開口から収納投出部２２又は金箱２３へ硬貨を放出する際に、硬貨が放出先を外れて外側へ飛び出さないようになっている。なお、仕切枠４２、４３は底部材４１に固定されており、底部材４１が移動する際には仕切枠４２、４３が底部材４１と共に移動する。
【００２９】
各一時保留部２１の保留枠４０は、例えば、上面全面及び下面全面が開放された、装置前後方向に長い枠体の内部を、複数の筒形状に分割して形成される。また、装置前後方向に長い板部材を底部材４１として、上面全面及び下面全面が開放された装置前後方向に長い枠体の内部を、対応する保留枠４０に合わせて複数に分割して仕切枠４２、４３とする。すなわち、１列に金種別に配設された一時保留部２１の各保留枠４０は連結されており、１列に配設された底部材４１と該底部材４１の左右に配設された仕切枠４２、４３とが連結されている。
【００３０】
１つの一時保留部２１で保留枠４０を移動させようとすると、これに伴って全ての保留枠４０が移動するので、一時保留部２１から収納投出部２２又は金箱２３へ硬貨を放出する際には、全ての一時保留部２１から、対応する収納投出部２２又は金箱２３に硬貨が放出されることになる。同様に、底部材４１を移動させると、全ての一時保留部２１から返却箱１４に硬貨が放出される。
【００３１】
図２、図３〜図５に示すように、収納投出部２２は、収納投出部ユニット１６に搭載されており、機体１１の前後方向に沿って金種別に配設されている。各収納投出部２２は上面を開口した箱状に形成されており、一時保留部２１のそれぞれから金種別に放出される硬貨が、対応する収納投出部２２のそれぞれに金種別に収納される。各収納投出部２２に収納されている硬貨は、下部に配設されている投出機構５０によって１枚ずつ横搬送部２４へ投出できるようになっている。投出機構５０として、例えば回転円盤を用いた硬貨繰出構造が採用される。各収納投出部２２には、例えば２０００枚程度の硬貨を収納することができるが、出金処理に備えて、少なくとも２００枚程度の硬貨を収納部内に維持するようになっている。
【００３２】
金箱２３は、金箱ユニット１７に搭載されており、機体１１の前後方向に沿って金種別に配設されている。各金箱２３は上面を開口した箱状に形成されており、各金箱２３には、例えば４０００枚程度の硬貨を収納することができる。各金箱２３は個別に設けられており、金箱ユニット１７を機体１１から引き出した状態で、金箱ユニット１７に対して各金箱２３を脱着できるようになっている。
【００３３】
図２に示すように、金種別の一時保留部２１の最前部には、搬送通路３２の任意選別部で選別された任意硬貨を一括して一時保留する一括一時保留部２１ａが配設されている。また、収納投出部２２の最前部には、一括一時保留部２１ａから放出される任意硬貨や後述する精査時におけるリジェクト硬貨を収納する一括収納箱２２ａが配設されている。一括収納箱２２ａ中の硬貨は、収納投出部２２と一体的に機体１１の前面に引き出して取り出すことができる。また、金種別の金箱２３の最前部には、一括一時保留部２１ａから放出される任意硬貨を収納する一括金箱２３ａが配設されている。
【００３４】
返却箱１４は、上面が開口された、機体１１の前後方向に沿って長い箱状に形成されており、一時保留部２１（一括一時保留部２１ａも含む）から放出される硬貨を一括して受け入れて収納する。
【００３５】
横搬送部２４は、機体１１の前後方向に沿って配設されていて、各収納投出部２２（一括収納箱２２ａは除く）から投出される硬貨を受け入れて搬送するベルトコンベヤによって構成されている。このベルトコンベヤは、回収時及び精査時には機体１１の後部側へ硬貨を搬送し、出金時には機体１１の前部側へ硬貨を搬送する。縦搬送部２５は、横搬送部２４によって後部側へ搬送された硬貨を受け入れて、上方の入金部２０に搬送するベルトコンベヤによって構成されている。このベルトコンベヤは、表面に硬貨を引っ掛けて搬送する突起付きのベルトを用いることにより硬貨を上方へ搬送する。横搬送部２４及び縦搬送部２５によって、収納投出部２２から投出された硬貨を入金部２０に搬送する搬送部５５が構成される。
【００３６】
出金機構２６は、横搬送部２４の前部側から送り込まれる出金硬貨を受け入れる出金一時保留部６０、横搬送部２４から出金一時保留部６０に送り込まれる出金硬貨の金種を判別する判別部６１、出金箱１３を昇降させるリフト６２等を有している。リフト６２は、出金一時保留部６０から出金硬貨を受け入れる下方の受取位置と、外部からの硬貨の取り出しを可能とする上方の取出位置との間で、出金箱１３を昇降させる。
【００３７】
出金処理時には、投出機構５０によって、収納投出部２２から横搬送部２４に出金硬貨が投出される。投出された硬貨は、横搬送部２４の前部側に搬送されて判別部６１によって判別され、一時保留位置にある出金一時保留部６０内に一時保留される。判別部６１が、一時保留した硬貨を出金できないと判別した場合には、出金一時保留部６０が移動して出金リジェクト箱６３に硬貨を放出する。一方、一時保留した硬貨を出金できると判別した場合には、出金一時保留部６０が移動して、受取位置にある出金箱１３に硬貨を放出する。そして、出金箱１３が取出位置へ移動することにより硬貨を出金する。
【００３８】
図７は、硬貨処理装置１０の機能構成概略を示す機能ブロック図である。硬貨処理装置１０は、上述した構成の他に、制御部７０、記憶部７１及び通信部７２を有している。制御部７０は、各部を制御して本実施形態に記載する各機能及び各動作を実現する機能を有する。記憶部７１は、半導体メモリ等の記憶装置から成り、制御部７０の動作に必要なプログラムや設定情報等の各種データの保存に利用される。通信部７２は、外部装置との間で各種データを送受信する機能を有する。例えば、コンピュータ装置から成る操作端末と制御部７０とを、通信部７２を介して接続して、操作端末の画面上に各種情報を表示しながら操作部を操作して、硬貨処理の実行や硬貨処理に係る各種の設定操作を行えるようになっている。硬貨処理装置１０で報知処理が必要となった場合にも、操作端末を利用して報知が行われる。
【００３９】
硬貨処理装置１０では、精査優先モード又は収納優先モードを選択することができる。動作モードを変更すると、各収納投出部２２に収納する硬貨の枚数が変更され、精査処理の処理方法も変更される。なお、動作モードの変更は、操作端末を操作して、モード変更を指示する信号を通信部７２から制御部７０へ送信することによって行われる。
【００４０】
精査優先モードとは、精査処理を短時間で行うための動作モードである。精査優先モードを選択した際に収納投出部２２の硬貨収納枚数を何枚にするかについては設定により変更可能であるが、精査優先モードでは、各収納投出部２２の硬貨収納枚数が、対応する一時保留部２１に一時保留可能な硬貨の最大枚数、又はこの最大枚数より少なくなるように設定される。制御部７０は、各収納投出部２２に収納中の硬貨の枚数が、設定された硬貨収納枚数以下となるように、各収納投出部２２への硬貨の収納を制御する。
【００４１】
この結果、精査優先モードでは、一時保留部２１を利用して短時間で精査処理を行うことができる。具体的には、精査優先モードで精査処理を開始すると、制御部７０は、投出機構５０によって収納投出部２２から硬貨を投出して、投出した硬貨を横搬送部２４及び縦搬送部２５を経て入金部２０に搬送し、識別部３３で識別計数した後、選別部３４で選別して、対応する一時保留部２１に一時保留する。そして、制御部７０は、収納投出部２２から投出された全ての硬貨を一時保留部２１に一時保留した後、一時保留部２１に一時保留している硬貨を、空になった元の収納投出部２２に放出して戻す。このように、精査優先モードでは、収納投出部２２内の全ての硬貨を投出して一時保留部２１に同時に収納して精査することができるので、短時間で精査処理を完了することができる。なお、精査処理は、一金種だけについて行うこともできるし、全金種について行うこともできる。
【００４２】
これに対して、収納優先モードとは、収納投出部２２に大量の硬貨を収納するための動作モードである。収納優先モードを選択した際に収納投出部２２の硬貨収納枚数を何枚にするかについては設定により変更可能であるが、収納優先モードでは、各収納投出部２２の硬貨収納枚数が、対応する一時保留部２１に一時保留可能な硬貨の最大枚数より多くなるように設定される。具体的には、硬貨収納枚数が、一時保留部２１に一時保留可能な硬貨の最大枚数より多く、かつ、収納投出部２２に収納可能な硬貨の最大枚数以下となるように設定される。制御部７０は、各収納投出部２２に収納中の硬貨の枚数が、設定された硬貨収納枚数以下となるように、各収納投出部２２への硬貨の収納を制御する。
【００４３】
次に、各モードでの硬貨処理装置１０内の硬貨収納処理について説明する。なお、一時保留部２１、収納投出部２２及び金箱２３では、各収納部が満杯となる硬貨の最大枚数（フル枚数）が設定されており、動作モードによらず、このフル枚数を超えて硬貨を収納することはできない。硬貨径及び厚みによって同容積の収納部に収納される硬貨の枚数が変わるため、フル枚数は、収納される硬貨の金種に応じて設定される。以下では、一時保留部２１が満杯になるフル枚数を一時保留部フル枚数、収納投出部２２が満杯になるフル枚数を収納投出部フル枚数、金箱２３が満杯になるフル枚数を金箱フル枚数として説明する。
【００４４】
また、硬貨処理装置１０では、収納投出部２２から硬貨を投出して出金処理を実行できるように、収納投出部２２内の硬貨の枚数を、予め設定された範囲内に維持するようになっている。具体的には、各収納投出部２２について、補充開始枚数及び補充終了枚数を設定して、各収納投出部２２内の硬貨の枚数を、補充開始枚数と補充終了枚数との間に維持する。例えば、収納投出部２２に収納されている硬貨の枚数が減少して補充開始枚数に達すると、硬貨の補充が開始され、制御部７０は、入金処理時に入金する硬貨をこの収納投出部２２に収納するための制御を実行する。このとき、制御部７０は、各収納投出部２２に収納されている硬貨の枚数が、補充終了枚数を超えないように制御する。以下では、補充終了枚数が一時保留部フル枚数と同一枚数に設定されているものとして説明する。
【００４５】
まず、精査優先モードの処理について説明する。図８は、精査優先モードの硬貨処理装置１０で行われる処理例を示すフローチャートである。
【００４６】
以下では、精査優先モードを選択すると、各収納投出部２２の硬貨収納枚数が、対応する一時保留部２１の一時保留部フル枚数に設定されるものとする。また、各収納投出部２２には、補充終了枚数、すなわち一時保留部フル枚数の硬貨が既に収納されており、精査優先モードでは、これ以上の硬貨を各収納投出部２２に収納できない状態にあるものとする。一方、金箱フル枚数まで硬貨を収納するよう設定された金箱２３では、収納されている硬貨の枚数が金箱フル枚数に達しておらず、硬貨を収納可能な状態にあるものとして説明する。
【００４７】
精査優先モードを選択した硬貨処理装置１０で入金処理を開始すると、制御部７０は、入金部２０に受け入れた入金硬貨を繰出部３１から１枚ずつ搬送通路３２に繰り出して搬送する。
【００４８】
制御部７０は、搬送通路３２を搬送される入金硬貨を識別部３３で識別して、処理対象外の硬貨や識別不能な硬貨を、入金リジェクト硬貨として、選別部３４から入金リジェクト箱１５に排出する。入金リジェクト硬貨は、機体１１の前面から入金リジェクト箱１５を引き出すことにより、装置外へ取り出せるようになっている。
【００４９】
制御部７０は、識別部３３での識別結果に基づいて、正常な入金硬貨を選別部３４で選別して一時保留部２１に金種別に一時保留する（ステップＳ１）。このとき、図６に示すように、一時保留部２１では保留枠４０が一時保留位置にあり、各保留枠４０内の底部材４１上に硬貨を集積することになる。
【００５０】
制御部７０は、各一時保留部２１に一時保留されている硬貨（以下「一時保留硬貨」と記載する）の枚数を監視する。１つ以上の一時保留部２１で、一時保留硬貨の枚数が一時保留部フル枚数に達すると（ステップＳ２；Ｙｅｓ）、制御部７０は、全ての一時保留部２１への硬貨の一時保留を停止する。そして、制御部７０は、全ての一時保留部２１から一時保留硬貨を放出して、対応する金箱２３に収納する（ステップＳ３）。
【００５１】
全ての一時保留部２１が硬貨を収納可能な状態であれば（ステップＳ２；Ｎｏ）、制御部７０は、一時保留部２１の一時保留硬貨の枚数と、対応する金箱２３に収納されている硬貨の枚数との合計が、金箱フル枚数に達する一時保留部２１が存在するか否かを判定する（ステップＳ４）。
【００５２】
制御部７０は、全ての一時保留部２１から一時保留硬貨を放出して、対応する金箱２３に収納しても、全ての金箱２３で硬貨収納枚数が金箱フル枚数に達しない間は（ステップＳ４；Ｎｏ）、一時保留部２１への入金硬貨の収納が完了するまで、硬貨枚数を監視しながら、入金硬貨を一時保留部２１へ一時保留する処理を継続する（ステップＳ５；Ｎｏ）。一時保留部２１への入金硬貨の収納が完了した場合は（ステップＳ５；Ｙｅｓ）、制御部７０は、全ての一時保留部２１から一時保留硬貨を放出して、対応する金箱２３に収納する（ステップＳ６）。具体的には、図６に示す保留枠４０のみを金箱２３上に移動させて、各保留枠４０の一時保留硬貨を金箱２３に放出して収納し、処理を完了する。
【００５３】
一時保留部２１に入金硬貨を一時保留している間に、一時保留硬貨の枚数と、金箱２３に収納されている硬貨の枚数との合計が、金箱フル枚数に達する一時保留部２１が発生すると（ステップＳ４；Ｙｅｓ）、これを検知した制御部７０は、一時保留部２１への硬貨の一時保留を停止する。言い換えれば、１つ以上の一時保留部２１で、一時保留硬貨を対応する金箱２３に収納した際に、この金箱２３に収納された硬貨の枚数が、金箱２３の硬貨収納枚数として設定された設定枚数に達する状態となった所で、一時保留部２１への硬貨の一時保留を停止する。
【００５４】
そして、制御部７０は、全ての一時保留部２１から一時保留硬貨を放出して、対応する金箱２３に収納する（ステップＳ７）。具体的には、図６に示す保留枠４０のみを金箱２３上に移動させて、各保留枠４０の一時保留硬貨を金箱２３に放出して収納する。この結果、先に制御部７０が検知した一時保留部２１に対応する金箱２３で、収納されている硬貨の枚数が金箱フル枚数に達する。
【００５５】
硬貨処理装置１０で一時保留部２１から金箱２３へ硬貨を収納する際には、全ての一時保留部２１で、対応する金箱２３への硬貨の収納が行われるため、１つの金箱２３で硬貨を収納できなくなると、たとえ他の金箱２３に硬貨を収納できる状態であっても、これ以上、一時保留部２１から金箱２３へ硬貨を放出する処理を行うことはできない。
【００５６】
このため、少なくとも１つの金種について、収納投出部２２に収納されている硬貨の枚数が、精査優先モードを選択した際に設定された設定枚数に達し、かつ、金箱２３に収納されている硬貨の枚数が金箱２３に収納可能な硬貨の設定枚数に達すると、制御部７０は、これ以上、入金硬貨の処理を続けることはできないと判定する。
【００５７】
そして、制御部７０は、硬貨処理装置１０内で硬貨を収納できなくなったことを報知するために、エラー報知処理を実行する（ステップＳ８）。具体的には、例えば、金箱２３に収納されている硬貨を回収して、硬貨を収納可能な状態にするよう指示する情報を、通信部７２から出力して操作端末の画面上に表示させる。画面上の情報を確認した利用者が、金箱２３から硬貨を回収すると、入金硬貨の処理を再開して入金処理を完了することができる。
【００５８】
精査優先モードでは、こうして入金処理を完了した後も、収納投出部２２に収納されている硬貨の枚数が、精査優先モードを選択した際に設定された、一時保留部フル枚数以下の設定枚数に維持されているので、上述したように収納投出部２２に収納されている全ての硬貨を、対応する一時保留部２１に同時に収納することにより、精査処理を短時間で完了することができる。
【００５９】
なお、硬貨処理装置１０では、精査優先モードで動作するように硬貨処理装置１０を設定しながら、処理の途中で、収納優先モードで動作するように動作モードを切り替えることも可能となっている。具体的には、精査優先モードで処理を行っている間に、例えば図８のステップＳ７に示したように硬貨を収納することができなくなった場合に、制御部７０は、これを報知する操作端末の画面上に、動作モードの切替要否を問う情報を表示する。そして、利用者が、精査優先モードから収納優先モードへ動作モードを切り替える操作を行った場合には、制御部７０が、動作モードを収納優先モードへ切り替える。この結果、硬貨処理装置１０では、後述する収納優先モードでの動作が開始され、収納投出部２２に、一時保留部フル枚数を超える硬貨を収納することが可能となり、停止していた処理を再開して、収納投出部２２に硬貨を収納しながら処理を継続することができる。
【００６０】
次に、収納優先モードの処理について説明する。図９は、収納優先モードの硬貨処理装置１０で行われる処理例を示すフローチャートである。
【００６１】
以下では、収納優先モードを選択すると、各収納投出部２２の硬貨収納枚数が、収納投出部フル枚数に設定されるものとする。また、各収納投出部２２には、補充終了枚数として設定された一時保留部フル枚数の硬貨が既に収納されているが、金箱フル枚数まで硬貨を収納するよう設定された金箱２３では、収納されている硬貨の枚数が金箱フル枚数に達しておらず、硬貨を収納可能な状態にあるものとする。すなわち、収納優先モードを選択して収納投出部フル枚数に設定された各収納投出部２２の硬貨収納枚数を除いて、図８を参照しながら説明した精査優先モードによる処理開始時と同じ状況にあるものとする。
【００６２】
収納優先モードを選択した硬貨処理装置１０で入金処理を開始すると、制御部７０は、図９に示すステップＳ１１から処理を開始するが、ステップＳ１１〜Ｓ１７の各処理は、図８に示す精査優先モードのステップＳ１〜Ｓ７の各処理と同じであるため説明を省略する。
【００６３】
図８に示す精査優先モードでは、ステップＳ７の処理を行った後、ステップＳ８で、これ以上の硬貨を収納できないと判定した制御部７０がエラー報知処理を行うのに対して、図９に示す収納優先モードでは、ステップＳ１７の処理を行った後、同じ状況から、さらに収納投出部２２に硬貨を収納しながら入金処理を継続することができる。
【００６４】
具体的には、入金硬貨を識別計数して一時保留部２１に一時保留する処理を開始して（ステップＳ１１）、一時保留部２１の一時保留硬貨の枚数と、金箱２３に収納されている硬貨の枚数との合計が、金箱フル枚数に達する一時保留部２１が発生すると（ステップＳ１４；Ｙｅｓ）、これを検知した制御部７０は、一時保留部２１への硬貨の一時保留を停止して、全ての一時保留部２１から一時保留硬貨を放出して金箱２３に収納する（ステップＳ１７）。この結果、先に制御部７０が検知した一時保留部２１に対応する金箱２３で、収納されている硬貨の枚数が金箱フル枚数に達し、金箱２３への硬貨の収納ができなくなるが、制御部７０は、一時保留部２１の一時保留硬貨の収納先を金箱２３から収納投出部２２に切り替えて、入金硬貨を一時保留部２１に一時保留する処理を再開する（ステップＳ１８）。
【００６５】
そして、制御部７０は、各一時保留部２１に一時保留される硬貨の枚数監視を再開して、１つ以上の一時保留部２１で、一時保留硬貨の枚数が一時保留部フル枚数に達すると（ステップＳ１９；Ｙｅｓ）、全ての一時保留部２１から一時保留硬貨を放出して収納投出部２２に収納する（ステップＳ２０）。
【００６６】
全ての一時保留部２１が硬貨を収納可能な状態であれば（ステップＳ１９；Ｎｏ）、制御部７０は、一時保留部２１の一時保留硬貨の枚数と、対応する収納投出部２２に収納されている硬貨の枚数との合計が、収納投出部フル枚数に達する一時保留部２１が存在するか否かを判定する（ステップＳ２１）。
【００６７】
制御部７０は、全ての一時保留部２１から一時保留硬貨を放出して、対応する収納投出部２２に収納しても、全ての収納投出部２２で硬貨収納枚数が収納投出部フル枚数に達しない間は（ステップＳ２１；Ｎｏ）、一時保留部２１への入金硬貨の収納が完了するまで、硬貨枚数を監視しながら、入金硬貨を一時保留部２１へ一時保留する処理を継続する（ステップＳ２２；Ｎｏ）。一時保留部２１への入金硬貨の収納が完了した場合は（ステップＳ２２；Ｙｅｓ）、制御部７０は、全ての一時保留部２１から一時保留硬貨を放出して、対応する収納投出部２２に収納する（ステップＳ２３）。具体的には、図６に示す保留枠４０のみを収納投出部２２上に移動させて、各保留枠４０の一時保留硬貨を収納投出部２２に放出して収納し、処理を完了する。
【００６８】
一時保留部２１に入金硬貨を一時保留している間に、一時保留硬貨の枚数と、収納投出部２２に収納されている硬貨の枚数との合計が、収納投出部フル枚数に達する一時保留部２１が発生すると（ステップＳ２１；Ｙｅｓ）、これを検知した制御部７０は、一時保留部２１への硬貨の一時保留を停止する。言い換えれば、１つ以上の一時保留部２１で、一時保留硬貨を対応する収納投出部２２に収納した際に、この収納投出部２２に収納された硬貨の枚数が、収納投出部２２の硬貨収納枚数として設定された設定枚数に達する状態となった所で、一時保留部２１への硬貨の収納を停止する。
【００６９】
そして、制御部７０は、全ての一時保留部２１から一時保留硬貨を放出して、収納投出部２２に収納する（ステップＳ２４）。具体的には、図６に示す保留枠４０のみを収納投出部２２上に移動させて、各保留枠４０の一時保留硬貨を収納投出部２２に放出して収納する。この結果、先に制御部７０が検知した一時保留部２１に対応する収納投出部２２で、収納されている硬貨の枚数が収納投出部フル枚数に達する。
【００７０】
硬貨処理装置１０で一時保留部２１から収納投出部２２へ硬貨を収納する際には、全ての一時保留部２１で、対応する収納投出部２２への硬貨の収納が行われるため、１つの収納投出部２２で硬貨を収納できなくなると、たとえ他の収納投出部２２に硬貨を収納できる状態であっても、これ以上、一時保留部２１から収納投出部２２へ硬貨を収納する処理を行うことはできない。
【００７１】
このため、少なくとも１つの金種について、金箱２３に収納されている硬貨の枚数が金箱２３に収納可能な硬貨の設定枚数に達し、かつ、収納投出部２２に収納されている硬貨の枚数が、収納優先モードを選択した際に設定された設定枚数に達すると、制御部７０は、これ以上、入金硬貨の処理を続けることはできないと判定する。
【００７２】
そして、制御部７０は、硬貨処理装置１０内で硬貨を収納できなくなったことを報知するために、エラー報知処理を実行する（ステップＳ２５）。具体的には、例えば、収納投出部２２及び金箱２３の少なくともいずれか一方から硬貨を回収して、硬貨を収納可能な状態にするよう指示する情報を、通信部７２から出力して操作端末の画面上に表示させる。画面上の情報を確認した利用者が、例えば、金箱２３から硬貨を回収すると、入金硬貨の処理を再開して入金処理を完了することができる。
【００７３】
収納優先モードでは、金箱２３に硬貨を収納できなくなり、収納投出部２２の硬貨収納枚数が、補充終了枚数として設定された枚数に達している場合でも、収納投出部２２の硬貨収納枚数が、モード選択時に設定された硬貨収納枚数に達するまでの間は、入金処理を継続することができる。各収納投出部２２には、数千枚の硬貨を収納可能であるため、各収納投出部２２に収納する硬貨の枚数が数百枚の一時保留部フル枚数に制限される精査優先モードに比べて、処理を中断して硬貨を回収せざるを得ない事態の発生を抑制することができる。
【００７４】
なお、収納優先モードで動作する硬貨処理装置１０においても、精査処理を実行することは可能である。具体的には、収納優先モードでは、収納投出部２２に、一時保留部フル枚数を超える枚数の硬貨を収納可能であるため、精査優先モードの場合のように、収納投出部２２から全ての硬貨を投出して一時保留部２１に同時に一時保留する精査処理を行えない場合があるが、１金種ずつ、すなわち１つの収納投出部２２毎に精査処理を行う。
【００７５】
例えば、収納投出部２２に収納されている硬貨量が一時保留部フル枚数より多い１円硬貨の精査処理を行う場合には、制御部７０は、１円硬貨を収納している収納投出部２２から投出機構５０によって１円硬貨を投出して、横搬送部２４及び縦搬送部２５を経て入金部２０に搬送し、識別部３３による識別計数及び選別部３４による選別を経て一時保留部２１に一時保留する。そして、一時保留部２１に一時保留した１円硬貨の枚数が一時保留部フル枚数に達すると、これ以降、制御部７０は、収納投出部２２から投出された１円硬貨を一時保留部２１まで搬送せず、一時保留部２１より搬送方向上流側にある入金部２０のホッパ１２ａ内に保留する。
【００７６】
そして、収納投出部２２から全ての１円硬貨を投出して内部が空になると、制御部７０は、一時保留部フル枚数に達していた一時保留部２１内の１円硬貨を、空になった収納投出部２２に放出して戻す。こうして一時保留部２１が空になると、続いて、制御部７０は、入金部２０のホッパ１２ａ内に保留していた１円硬貨を送り出し、識別部３３による識別計数及び選別部３４による選別を経て一時保留部２１に一時保留する。そして、制御部７０は、一時保留部２１に収納した１円硬貨を元の収納投出部２２に放出して戻すことにより、１円硬貨の精査処理を完了する。他金種の硬貨についても同様の処理を繰り返すことにより、精査優先モードで行う精査処理に比べて時間はかかるが、収納投出部２２に収納されている全ての硬貨について精査処理を行うことができる。
【００７７】
なお、ホッパ１２ａの利用については、先に一時保留部フル枚数を超えた分をホッパ１２ａに一時保留する態様に限らず、先に、収納投出部２２から投出した全ての硬貨をホッパ１２ａに収納して、ホッパ１２ａから硬貨を送り出しながら精査処理を行う態様であっても構わない。
【００７８】
この他、例えば、収納投出部２２で一時保留部フル枚数を超えている分の硬貨を、先に、収納投出部２２から金箱２３へ移動させる精査準備処理を行うことにより、収納優先モードで動作している硬貨処理装置１０においても、精査優先モードで行う場合と同じ方法で精査処理を行うことができる。精査準備処理を行う必要があるため、この処理に必要な時間分だけ、精査優先モードで精査処理を行う場合に比べて時間はかかるが、精査処理の対象とする１つ又は複数の収納投出部２２で、硬貨収納枚数を一時保留部フル枚数以下にすることにより、精査優先モードの場合と同様に、収納投出部２２から全ての硬貨を投出して一時保留部２１に同時に一時保留する精査処理を行うことができる。
【００７９】
また、硬貨処理装置１０では、収納優先モードで動作するように硬貨処理装置１０を設定しながら、精査優先モードと同じ方法で精査処理を実行可能な所定タイミングを報知するように設定することもできる。具体的には、各収納投出部２２に対して、対応する一時保留部２１の一時保留部フル枚数より少ない判定用枚数を予め設定して、各収納投出部２２に収納されている硬貨の枚数が判定用枚数に達した収納投出部２２が発生した場合には、制御部７０が、精査処理実行の要否や、動作モード切替の要否を問う報知処理を実行するように設定する。なお、精査処理実行の報知については、各収納投出部２２の収納硬貨枚数が判定用枚数に達しない任意のタイミングで行われるように設定することもできる。これにより、例えば、セキュリティを考慮して、不正が行われないように精査タイミングを利用者に知らせない運用にも対応することができる。
【００８０】
制御部７０は、この設定を受けて、入金処理が完了する度に、収納投出部２２に収納されている硬貨の枚数を確認して、硬貨枚数が判定用枚数に達すると、精査処理実行の要否や、動作モード切替の要否を問う報知処理を実行する。報知された情報を確認した利用者が精査処理を実行すると、精査優先モードの場合と同様に、収納投出部２２に収納されている全ての硬貨を投出して一時保留部２１に同時に収納する精査処理を実行することができる。また、報知された情報を確認した利用者が、収納優先モードから精査優先モードへ動作モードを切り替える操作を実行すると、硬貨処理装置１０の動作モードを切り替えることができる。また、この他、利用者は、入金処理後に精査処理実行や動作モード切替の要否を問う報知処理が行われたことを受けて装置内の硬貨の収納状況を認識し、例えば、収納投出部２２に収納されている一部の硬貨を金箱２３へ移動させる処理や、金箱２３から硬貨を回収する処理を実行することもできる。なお、収納投出部２２の精査処理を不要とする利用者は、この所定タイミングの報知処理を実行しないように設定すればよい。
【００８１】
また、硬貨処理装置１０では、収納優先モードでは精査処理を実行しないように設定することも可能となっている。具体的には、硬貨処理装置１０で実行する処理を選択するメニューに精査処理のメニューを表示しないように設定したり、精査処理開始の指示がされても、これを受けた制御部７０が、精査処理を実行せず、精査処理が実行できないことを示す情報を操作端末に表示して利用者に報知するように設定したりすることができる。
【００８２】
次に、硬貨処理装置１０の金箱２３から硬貨を回収する回収処理について説明する。硬貨処理装置１０では、金箱２３から硬貨を回収する際に、回収する硬貨の枚数が常に同じ枚数（固定枚数）となるように設定することができる。なお、この設定は、操作端末を操作して、設定を指示する信号を通信部７２から制御部７０へ送信することによって行われる。
【００８３】
図１０は、回収処理の流れを示すフローチャートである。回収処理が開始されると、制御部７０は、固定枚数の硬貨を回収する固定枚数回収処理を実行するよう設定されているか否かを判定する（ステップＳ３１）。固定枚数回収処理を実行する設定になっていない場合は（ステップＳ３１；Ｎｏ）、金箱２３に収納されている硬貨をそのまま回収する処理が行われる。一方、固定枚数回収処理を実行する設定になっている場合には（ステップＳ３１；Ｙｅｓ）、制御部７０は、回収処理の処理対象となる金箱２３に収納されている硬貨の枚数を確認する（ステップＳ３２）。なお、固定枚数を何枚にするかについては設定により変更可能となっているが、以下では、金箱フル枚数の硬貨を回収するように設定されているものとして説明する。
【００８４】
金箱２３から回収する硬貨の枚数が、回収時の硬貨枚数として設定された金箱フル枚数に達している場合には（ステップＳ３２；Ｎｏ）、金箱２３に収納されている硬貨をそのまま回収する処理が行われる。一方、金箱２３から回収する硬貨の枚数が、金箱フル枚数より少ない場合には（ステップＳ３２；Ｙｅｓ）、制御部７０は、不足分の硬貨を、収納投出部２２から金箱２３へ移動させる処理を行う（ステップＳ３３）。具体的には、収納投出部２２から不足分の硬貨を投出して識別計数し、一時保留部２１に一時保留した後、一時保留部２１から放出して金箱２３に収納する。そして、金箱２３に収納されている硬貨の枚数が金箱フル枚数に到達すると、これを回収する処理が行われる（ステップＳ３４）。
【００８５】
回収処理中は、制御部７０が、処理状況を報知する報知処理を実行するようになっている。例えば、回収処理を開始した後、収納投出部２２から金箱２３へ不足分の硬貨を移動する処理が必要である場合には、硬貨の移動を終えるまで待機するよう指示する情報を通信部７２から出力して、操作端末の画面上に表示する。また、収納投出部２２から金箱２３への硬貨の移動を終えて、金箱２３から硬貨を回収可能な状態になると、金箱２３から硬貨を回収するよう指示する情報を通信部７２から出力して、操作端末の画面上に表示する。
【００８６】
なお、固定枚数回収の処理は、１つの金箱２３のみで行うように設定することもできるし、複数の金箱２３で行うように設定することもできる。例えば、１つの金箱２３で固定枚数回収を行うよう設定した場合には、制御部７０が、この金箱２３に収納された硬貨の枚数を監視して、硬貨枚数が予め設定された固定枚数に達した所で、利用者に金箱２３から硬貨を回収するよう指示する報知処理を行う。また、他の金箱２３から硬貨を回収するために回収処理を開始した場合には、制御部７０は、固定枚数回収を行うよう設定された金箱２３から固定枚数の硬貨を回収できるように図１０に示す処理を実行する。具体的には、例えば１円硬貨を収納する１つの金箱２３で固定枚数回収を行うよう設定した場合には、この金箱２３に収納された１円硬貨の枚数が固定枚数に達した所で、回収を指示する報知処理が行われる。また、金箱２３の１円硬貨の枚数が固定枚数に達する前に、５円硬貨を収納する金箱２３で５円硬貨を回収するための操作が開始されると、これを認識した制御部７０が、１円硬貨を収納する金箱２３の硬貨収納枚数を確認して、この金箱２３から固定枚数の１円硬貨を回収できるように図１０に示す処理を行うものである。
【００８７】
また、全ての金箱２３で固定枚数回収を行うように設定した場合には、制御部７０が、全ての金箱２３で、収納された硬貨の枚数を監視して、硬貨枚数が予め設定された固定枚数に達した金箱２３が発生すると、利用者に金箱２３から硬貨を回収するよう指示する報知処理を行うと共に、全ての金箱２３から固定枚数の硬貨を回収できるように、制御部７０は、収納されている硬貨の枚数が固定枚数に達していない各金箱２３について図１０に示す処理を実行する。
【００８８】
また、硬貨処理装置１０では、固定枚数回収を行う際に、対象とする金箱２３の硬貨収納枚数が、予め設定されている固定枚数に満たない場合に、この不足分の硬貨を入金口１２から投入して金箱２３に収納することも可能となっている。具体的には、例えば、金箱２３に不足分の硬貨を収納する必要があることを認識した制御部７０が、不足分の硬貨を収納投出部２２から金箱２３へ移動させるか、入金口１２から投入するかを、利用者に選択させるための情報を操作端末の画面上に表示する。利用者が、不足分の硬貨を収納投出部２２から金箱２３へ移動させることを選択した場合には、上述した処理を実行する。一方、利用者が、不足分の硬貨を入金口１２から投入することを選択して、不足分の硬貨を入金口１２へ投入した場合には、制御部７０は、投入された硬貨を識別計数して、一時保留部２１を経て金箱２３へ収納する。これにより、金箱２３から固定枚数の硬貨を収納可能な状態とすることができる。
【００８９】
このように、硬貨処理装置１０では、金箱２３から、予め設定した固定枚数の硬貨を回収する固定枚数回収処理を実行することができるので、例えば、硬貨を収納して運搬する硬貨袋の硬貨収納枚数を固定枚数として設定することにより、常に、固定枚数分の硬貨を硬貨袋に収納して運搬することができる。
【００９０】
上述してきたように、本実施形態に係る硬貨処理装置１０によれば、硬貨処理装置１０の動作モードとして、精査優先モード又は収納優先モードを選択することができる。動作モードを変更することにより、収納投出部２２に収納可能な硬貨の枚数設定が変更されると共に、精算処理の処理方法が変更される。収納投出部２２に大量の硬貨を収納するよりも、短時間で精査処理を完了することを優先したい場合は、精査優先モードを選択する。これにより、収納投出部２２に収納する硬貨の枚数が一時保留部２１に収納可能な硬貨の最大枚数以下に制限されるが、精査処理を短時間で完了することができる。一方、精査処理を短時間で行うよりも、収納投出部２２に大量の硬貨を収納することを優先したい場合には、収納優先モードを選択する。これにより、精査処理を実行した場合には精査優先モードで行う場合に比べて精査処理に時間を要することになるが、一時保留部２１に収納可能な硬貨の最大枚数による制限を受けることなく、大量の硬貨を収納投出部２２に収納することができる。
【産業上の利用可能性】
【００９１】
以上のように、本発明に係る硬貨処理装置は、利用者による装置の利用態様に応じて、リサイクル用の硬貨を収納する収納部の硬貨収納枚数を容易に変更するために有用である。
【符号の説明】
【００９２】
１０  硬貨処理装置
１１  機体
１２  入金口
１２ａ  ホッパ
１３  出金箱
１４  返却箱
１５  入金リジェクト箱
１６  収納投出部ユニット
１７  金箱ユニット
２０  入金部
２１  一時保留部
２２  収納投出部
２３  金箱
２４  横搬送部
２５  縦搬送部
２６  出金機構
２７、２７ａ〜２７ｃ  収納部
３０  供給部
３１  繰出部
３２  搬送通路
３３  識別部
３４  選別部
４０  保留枠
４１  底部材
４２、４３  仕切枠
５０  投出機構
５５  搬送部
６０  出金一時保留部
６１  判別部
６２  リフト
６３  出金リジェクト箱
７０  制御部
７１  記憶部
７２  通信部
【図１】
2019145158.tif 000003
【図２】
2019145158.tif 000004
【図３】
2019145158.tif 000005
【図４】
2019145158.tif 000006
【図５】
2019145158.tif 000007
【図６】
2019145158.tif 000008
【図７】
2019145158.tif 000009
【図８】
2019145158.tif 000010
【図９】
2019145158.tif 000011
【図１０】
2019145158.tif 000012
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
入金する硬貨を一時保留する一時保留部と、
前記一時保留部よりも多くの硬貨を収納可能で、前記一時保留部から受けた硬貨の収納、及び収納されている硬貨の投出を行う収納投出部と、
前記収納投出部に収納する硬貨の枚数を変更すると共に、前記収納投出部に収納されている硬貨を計数する精査処理の処理方法を変更する制御部と
を備えることを特徴とする硬貨処理装置。
【請求項２】
複数の動作モードを選択可能な選択部をさらに備え、
前記制御部は、複数の動作モードの中から選択された動作モードに基づいて、前記収納投出部に収納する硬貨の枚数を変更することを特徴とする請求項１に記載の硬貨処理装置。
【請求項３】
前記複数の動作モードは、前記収納投出部に収納する硬貨の枚数が前記一時保留部に収納可能な硬貨の枚数に比べて少ない設定となっている第１のモードと、前記収納投出部に収納する硬貨の枚数が前記一時保留部に収納可能な硬貨の枚数に比べて多い設定となっている第２のモードとを含むことを特徴とする請求項２に記載の硬貨処理装置。
【請求項４】
前記制御部は、
前記選択部にて第１のモードが選択されている場合には、
前記収納投出部から全ての硬貨を投出して、該硬貨を前記一時保留部に一時保留した後、空になった前記収納投出部に、前記一時保留部に一時保留した硬貨を戻すことによって前記精査処理を実行する
ことを特徴とする請求項３に記載の硬貨処理装置。
【請求項５】
入金する硬貨を受け入れて前記一時保留部に向けて送り出す入金部
をさらに備え、
前記制御部は、
前記選択部にて第２のモードが選択されている場合には、
前記収納投出部から硬貨を投出し、前記入金部に一時保留して前記収納投出部を空にした後、前記入金部から送り出した硬貨を計数し、前記収納投出部に戻すことによって前記精査処理を実行する
ことを特徴とする請求項３又は４に記載の硬貨処理装置。
【請求項６】
回収する硬貨を前記一時保留部から受けて収納する金箱
をさらに備え、
前記制御部は、
前記選択部にて前記第２のモードが選択されている場合には、
前記収納投出部から、少なくとも前記一時保留部に収納可能な硬貨の枚数を超える超過分の硬貨を投出して、前記金箱に移動した後、
前記収納投出部の硬貨を投出して、該硬貨を前記一時保留部に一時保留した後、空になった前記収納投出部に、前記一時保留部に一時保留した硬貨を戻すことによって前記精査処理を実行する
ことを特徴とする請求項３又は４に記載の硬貨処理装置。
【請求項７】
前記選択部にて前記第２のモードが選択されている場合には、前記収納投出部に収納する硬貨の枚数が、前記収納投出部に収納可能な硬貨の最大枚数に設定されることを特徴とする請求項３〜６のいずれか１項に記載の硬貨処理装置。
【手続補正２】
【補正対象書類名】明細書
【補正対象項目名】０００７
【補正方法】変更
【補正の内容】
【０００７】
上述した課題を解決し、目的を達成するため、本発明は、硬貨処理装置であって、入金する硬貨を一時保留する一時保留部と、前記一時保留部よりも多くの硬貨を収納可能で、前記一時保留部から受けた硬貨の収納、及び収納されている硬貨の投出を行う収納投出部と、前記収納投出部に収納する硬貨の枚数を変更すると共に、前記収納投出部に収納されている硬貨を計数する精査処理の処理方法を変更する制御部とを備えることを特徴とする。
【手続補正３】
【補正対象書類名】明細書
【補正対象項目名】０００８
【補正方法】変更
【補正の内容】
【０００８】
また、本発明は、上記発明において、複数の動作モードを選択可能な選択部をさらに備え、前記制御部は、複数の動作モードの中から選択されたモードに基づいて、前記収納投出部に収納する硬貨の枚数を変更することを特徴とする。
また、本発明は、上記発明において、前記複数の動作モードは、前記収納投出部に収納する硬貨の枚数が前記一時保留部に収納可能な硬貨の枚数に比べて少ない設定となっている第１のモードと、前記収納投出部に収納する硬貨の枚数が前記一時保留部に収納可能な硬貨の枚数に比べて多い設定となっている第２のモードとを含むことを特徴とする。
また、本発明は、上記発明において、前記制御部は、前記選択部にて第１のモードが選択されている場合には、前記収納投出部から全ての硬貨を投出して、該硬貨を前記一時保留部に一時保留した後、空になった前記収納投出部に、前記一時保留部に一時保留した硬貨を戻すことによって前記精査処理を実行することを特徴とする。
【手続補正４】
【補正対象書類名】明細書
【補正対象項目名】０００９
【補正方法】変更
【補正の内容】
【０００９】
また、本発明は、上記発明において、入金する硬貨を受け入れて前記一時保留部に向けて送り出す入金部をさらに備え、前記制御部は、前記選択部にて第２のモードが選択されている場合には、前記収納投出部から硬貨を投出し、前記入金部に一時保留して前記収納投出部を空にした後、前記入金部から送り出した硬貨を計数し、前記収納投出部に戻すことによって前記精査処理を実行することを特徴とする。
【手続補正５】
【補正対象書類名】明細書
【補正対象項目名】００１０
【補正方法】変更
【補正の内容】
【００１０】
また、本発明は、上記発明において、回収する硬貨を前記一時保留部から受けて収納する金箱をさらに備え、前記制御部は、前記選択部にて前記第２のモードが選択されている場合には、前記収納投出部から、少なくとも前記一時保留部に収納可能な硬貨の枚数を超える超過分の硬貨を投出して、前記金箱に移動した後、前記収納投出部の硬貨を投出して、該硬貨を前記一時保留部に一時保留した後、空になった前記収納投出部に、前記一時保留部に一時保留した硬貨を戻すことによって前記精査処理を実行することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、本発明は、上記発明において、前記選択部にて前記第２のモードが選択されている場合には、前記収納投出部に収納する硬貨の枚数が、前記収納投出部に収納可能な硬貨の最大枚数に設定されることを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】